Podtech/llm-jp-corpus-v4-ja_patent huggingface dataset:
(57)【要約】【課題】  通常の鞄は、鞄外表面に汚れている履物を収納する仕掛けがなく、別の袋に入れる等行ってきたが、いずれも嵩張り運搬には不適切であった。また、通常の自立状態では車輪あるいは凸状の支えで自立する形となっているため、安定性が悪かった。更に  自立状態で置いておくと他の鞄と区別がつき難く、間違え易かった。【解決手段】  本発明の鞄は自立状態おける下面に略足型の構造物を具備し、そこに靴を装着することにより、収納性、安定性、識別性（個性）を向上させる。【選択図】図２
2012235988.tif 000002
【特許請求の範囲】
【請求項１】
略足型の構造物を具備した事を特徴とするスーツケースを代表とする鞄。
【請求項２】
請求項１の範囲において、略足型の形状によっては履物（靴等）を履かせる事ができ、且つそれによって自立できる事を特徴とするスーツケースを代表とする鞄。
【請求項３】
請求項１の範囲において、略足型のつま先あるいは踵に車輪を取り付けられている事を特徴とする。
【請求項４】
請求項１の範囲において、略足型の構造物とは別に車輪を取り付けられている事を特徴とする。
【発明の詳細な説明】
【０００１】  この発明は略足型構造物を具備した鞄に関する。
【技術背景】
【０００２】  従来、スーツケースを代表とする鞄類には鞄外表面に汚れ易い履物（靴等）を収納するスペースがなかった。また、これら鞄類は通常運搬時に自立するタイプが大半を占めるが、自立した状態は安定性が悪かった。更に  自立状態では個性が無く、他の鞄と間違え易かった。
【発明の開示】
【発明が解決しようとする課題】
【０００３】  通常のスーツケースを代表とする鞄類は、鞄外表面に汚れている履物（靴等）を収納する仕掛けがなく、別の袋に入れて吊り下げるか、あるいはサイドの収納袋に片方ずつ入れる等してきたが、いずれも嵩張り、運搬時には他の部分を汚してしまい、不適切であった。また、通常の鞄類は運搬するときの立てた状態で車輪あるいは凸状の支えで自立する形となっているため、安定性が悪かった。更に  自立状態で置いておくと他の鞄と区別がつき難く、間違え易かった。
【課題を解決するための手段】
【０００４】  本発明のスーツケースを代表とする鞄類は運搬するときの立て掛けた姿勢における下面に略足型の構造物を装着した物。
【発明の効果】
【０００５】  このスーツケースを代表とする鞄類であれば、汚れている履物も、下面の略足型の構造物に履かせる事により簡単に収納でき、なお且つ運搬中に他の部分を汚すこともない。また、略足型構造となっているので設置面積が大きく、安定性が高い。更に  自立している状態ではあたかも鞄が靴を履いているような擬人化の効果もあり、靴も個人の物なので個性が発揮され他人の鞄と識別し易い。
【発明を実施するための最良の形態】
【実施例】
【０００６】  図１は、スーツケースの自立面に略足型の構造物を装着した状態。【０００７】  図２は、スーツケースの自立面に略足型の構造物を装着した物に靴（スニーカー）を履かせた状態。（技術的には収納した状態。）【０００８】  図３は図２の踵部分に車輪を装着した物。これによってキャリーバッグの機能を果たす。この状態では履物の踵後部に穴を開けるか、あるいはスリッパ状に履かせなければならない。【０００９】  図４は請求項４の実施例で車輪を別構造で装着している。これなら靴にダメージを与えることもなく、また脱げ難くなる。
【図面の簡単な説明】
【図１】  本発明の一実施例の鞄の下面に略足型の構造物を装着した物の平面図、正面図、左右側面図と下面図。
【図２】  同一実施例の略足型構造物に靴を履かせた物の正面図、左側面図と下面図。
【図３】  同一実施例の略足型構造物の踵後部に車輪を取り付け、それに靴を履かせた物の正面図、左側面図と下面図。
【図４】  同一実施例の車輪部を別構造とした物の正面図、左側面図と下面図。
【符号の説明】  １…鞄本体、２…略足型構造物、３…履物（スニーカー）、４…車輪、
【図１】
2012235988.tif 000003
【図２】
2012235988.tif 000004
【図３】
2012235988.tif 000005
【図４】
2012235988.tif 000006
(57)【要約】【課題】本発明は、舌や頬を圧排して安全に治療ができ、各人の口の大きさに対応できるように長さが調節でき痛くない排唾管の提供を目的としてものである。【手段】本発明は、先を半円形に曲げた管（１）に適合し円滑に動ける管（２）を通す。（１）の先端を外開きにし、（２）に適合する柔軟性のある管（３）を（２）に接着する。先端に小孔をあけた柔軟性のあるキャップを（４）を（３）の先に接着する。そして、（１）の後半部を外側に向けてくの字形に曲げる。本発明は以上のように構成された排唾管である。【選択図】図１
2012235996.tif 000002
【特許請求の範囲】
【請求項１】
先を半円形に曲げた管（１）に、（１）に適合し、（１）上を円滑に動ける短く切った管（２）を通す。
（１）の先端を外開きにし、（２）に適合する柔軟性のある管（３）を（２）に通し接着する。
先端に小孔を数個あけた半球状の柔軟性のあるキャップ（４）を（３）の先に接着する。
そして、管（１）の後半部を外側に向けてくの字形に曲げる。
本発明は、以上のこどく構成された排唾管である。
【発明の詳細な説明】
【技術分野】
【０００１】  本発明は、個人差のある患者の口の中の最も唾液がたまった所にとどき、舌や頬を圧排して安全に治療ができ痛くない排唾管の提供を目的としてものである。
【背景技術】
【０００２】  従来、総金属製の排唾管があった。しかし、長さが変えられないので各人各様の口の大きさに対応できず、そして先が固く痛かった。そこで、それを解決するために本発明者は伸縮式排唾管（特許文献１）を提案している。これにより、長さが変えられ、痛くない排唾管の提供が可能となった。
しかし、下顎の治療をする時には、舌や頬が邪魔になり治療部位が見えにくかったり、場合によっては治療器具で舌や頬を傷つける可能性もあった。
【先行技術文献】
【０００３】
【特許文献１】特許公開平１０−３０５０４７
【発明の概要】
【発明が解決しようとする課題】
【０００４】  そこで、本発明が解決しようとする課題は、唾液や水を吸引する際に、舌や頬を適度に押しのけて治療部位が見えやすくなり、傷つけることがないようにすることである。
【課題を解決するための手段】
【０００５】  本発明は、先を半円形に曲げた管（１）に（１）に適合し円滑に動ける管（２）を通す。
（１）の先端を外開きにし、（２）に適合する柔軟性のある管（３）を（２）に接着する。
先端に小孔をあけた柔軟性のあるキャップを（４）を（３）の先に接着する。
そして、（１）の後半部を外側に向けてくの字形に曲げる。
本発明は以上のように構成された排唾管である。
【発明の効果】
【０００６】  本発明により、舌や頬を押しのけながら唾液や水を排出できるので、術野がよく見え安全である。また、長さが調節できることにより各人各様の口の大きさに対応できる。
そして口の中入る部分に柔軟性があるので痛くない。
【図面の簡単な説明】
【０００７】
【図１】本発明の平面図である。
【図２】本発明の前半部の拡大断面図である。
【図２】本発明の使用状況を示す斜視図である。
【発明を実施するための形態】
【０００８】  （イ）先を半円形に曲げた管（１）に（１）に適合し、（１）上を円滑に動ける短く切った管（２）を通す。
（ロ）（１）の先端を外開きにし、（２）に適合する柔軟性のある管（３）を（２）に通し接着する。
（ハ）先端に小孔を数個あけた半球状の柔軟性のあるキャップ（４）を（３）の先に接着する。
そして、管（１）の後半部を外側に向けてくの字形に曲げる。
本発明は、以上のこどく構成された排唾管である。
本発明を使用する際は、管（１）の後端部を歯科用ユニットの接続部に接続して口の中に入れ、くの字形に曲がった部分（５）で頬Ａを外側に引っ張りながら先端部で後方から舌Ｂを払いのけながら唾液や水を排出する。この時に頬Ａはくの字に曲がった部分（５）に引っかかっているので途中で不意に動くことがない、そして、舌Ｂも、根元部分から押さえられているので同様に動くことがないので、治療する歯が良く見え、舌Ａと頬Ｂを傷つける心配がないので安心である。
また、管（２）を指でスライドさせることにより管（３）とキャップ（４）も同時に管（１）を動き、各患者の口の大きさに合わせ長さを調節することができる。さらに、（３）（４）供に柔軟性があるので痛くない。
【符号の説明】
【０００９】１  先を半円形に曲げた管
２  １に適合する管
３  ２に適合する管
４  キャップ
５  屈曲部
Ａ  頬
Ｂ  舌
【図１】
2012235996.tif 000003
【図２】
2012235996.tif 000004
【図３】
2012235996.tif 000005
【手続補正書】
【提出日】平成23年6月26日(2011.6.26)
【手続補正１】
【補正対象書類名】明細書
【補正対象項目名】０００７
【補正方法】変更
【補正の内容】
【０００７】
【図１】本発明の斜視図である。
【図２】本発明の前半部の拡大断面図である。
【図３】本発明の使用状況を示す斜視図である。
(57)【要約】【課題】  本発明は、テコの原理により簡単に片手でに２本のアームを開閉操作でき又、留め具で２本のアームをしっかりロックして、ズボンの裾を挟んで吊るす事のできる使い易いズボン掛けハンガーを提供する。【解決手段】  ２本のアームを支持部により結合し装着軸で、アームの開閉が自由にできようにする。  アーム（１）の先端部に留め具を設け回転軸により所定角度回転を自由にし、留め具でアーム（２）をロックでき、ズボンを挟むことができる。  アーム（１）の把持部とアーム（２）の把持部の各先端は細くし、アーム（１）がアーム（２）より長くする事で片手でアーム（１）の把持部（７）を持ち易く又、片手の親指でアーム（２）の把持部（８）を押し易くし開閉作業を容易にしている。  フックにより家庭用ハンガーに取付ける事ができる。【選択図】図３
2012235991.tif 000002
【特許請求の範囲】
【請求項１】
アーム（２）の後部上下面と、それぞれの上下面に接する板状の支持部（３）を接着等で一体化させ、アーム（１）の後部にピン状の装着軸（４）で支持部（３）を上下面より連結し、長尺状軸からなるアーム（２）をアーム（１）に平行するように設け、アーム（１）とアーム（２）の後部にある装着軸（４）と支持部（３）により、アーム（１）とアーム（２）は開閉自由になるズボン掛けハンガー。
【請求項２】
アーム（１）とアーム（２）が閉じた時、アーム（２）の先端はアーム（１）の先端に設けられた留め具（５）の受け部（１１）の内側に係止され、この時ズボンの両裾（１２）を挟んで吊るす事が出来る、請求項１のズボン掛けハンガー。
【発明の詳細な説明】
【技術分野】
【０００１】  本発明は、２本のアームにズボンの裾を挟み込み、留め部でロックして吊るすタイプのズボン掛けハンガーに関するものである。
【背景技術】
【０００２】  従来、ズボンの裾をズボン押さえ部で挟んで、バネの作用や金具、磁石の作用などで固定し吊るすクリップ式のズボンハンガーがあった。（特許文献１参照）
【先行技術文献】
【０００３】
【特許文献１】  特許公開平８−１４０８１８号公報
【発明の概要】
【発明が解決しようとする課題】
【０００４】  それには次のような問題点があった。
（イ）クリップ状のズボン押さえ部を開閉する作業は、バネの作用や金具の作用など思いの外、強い力を必要とする作業であり、高齢者や指の力が弱い人には不便だった。
（ハ）ズボンの裾をクリップ状のズボン押さえ部に挟む作業は、当該ハンガーをパイプにかけた状態で、両手又は片手で両足のズボンの裾を揃えながら差込み挟む作業は、手数がかかり面倒である。
本発明は、以上の問題点を解決するためのものである。
【発明が解決するための手段】
【０００５】  アーム（１）とアーム（２）を支持部（３）により結合し装着軸（４）により、アーム（１）とアーム（２）が開閉が自由にできようにする。
アーム（１）の先端部に留め具（５）を設け回転軸（６）により所定角度回転を自由にし留め具（５）によりアーム（２）をロックでき、しっかりズボン（１２）を挟むことができる。
アーム（１）の把持部（７）とアーム（２）の把持部（８）の各先端は細くし、アーム（１）がアーム（２）より長くすることにより片手でアーム（１）の把持部（７）を持ちやすくし、また片手の親指でアーム（２）の把持部（８）を押しやすくし開閉作業を容易にしている。
フック（９）により家庭用ハンガー（１３）に取付けることができる。
以上の機能を特徴とするズボン掛けハンガーである。
【発明の効果】
【０００６】  片手で簡単に開閉操作ができるので使いやすく、ズボンを吊るすことによりシワが伸び家庭用ハンガーに取付け出来るので収納が効率的である。
以上の特徴を備えたズボン掛けハンガーである。
【図面の簡単な説明】
【０００７】
【図１】  本発明の使用前状態の斜視図
【図２】  本発明のズボン掛けハンガーが使用可能状態の斜視図
【図３】  本発明にズボンを挟み、家庭用ハンガーに取付けた使用状態の斜視図
【図４】  本発明のアーム部分の装着軸と支持部の断面図
【発明を実施するための最良の形態】
【０００８】  以下、本発明の実施の形態を説明する。
（イ）、長尺状軸からなるアーム（１）の長尺方向の先端に回転軸（６）により水平方向に半回転する留め具（５）を設け、留め具（５）の内側を凹状にした受け部（１１）を設ける。
（ロ）、アーム（１）の後部に把持部（７）を、アーム（２）の後部に把持部（８）を設ける。
（ハ）、アーム（２）の後部上下面と、それぞれの上下面に接する板状の支持部（３）を接着等で一体化させ、アーム（１）の後部にピン状の装着軸（４）で支持部（３）を上下面より連結する。
（ニ）、長尺状軸からなるアーム（２）をアーム（１）に平行する様に設け、アーム（１）とアーム（２）の後部にある装着軸（４）と支持部（３）により、アーム（１）とアーム（２）は開閉自由になる。
（ホ）、アーム（１）とアーム（２）が閉じた時、アーム（２）の先端はアーム（１）の先端に設けられた留め具（５）の受け部（１１）の内側に係止され、この時ズボンの両裾（１２）を挟んで吊るす事が出来る。
（ヘ）、フック（９）はアーム（１）の中腹の外側に設けられた支軸（１０）の先端に水平方向に突出して設けられており、家庭用ハンガー（１３）に取付け可能になっている。
本発明は以上の構成よりなる。
本発明を使用する場合は、本発明のハンガーのアーム（１）の先端部の留め具（５）を回転軸（６）を中心に水平方向に半回転させ、アーム（２）から留め具（５）を外し係止を解除し使用可能状態にして、アーム（１）とアーム（２）の間にズボンの両裾（１２）を挟んでアーム（１）の先端部に設けた留め具（５）の受け部（１１）に、アーム（２）の先端部を納め係止する事により、ズボンの両裾（１２）を挟んで吊るし家庭用ハンガー（１３）に取付けることができる。
尚、アーム（１）の把持部（７）とアーム（２）の把持部（８）の各先端は細くしている。
これは、テコの原理によりアーム（２）の把持部（８）を片手の親指で押す事により、アーム（１）と力点と作用点の関係が生じ、アーム（１）とアーム（２）の開閉作業が容易にできる構造としている事と、片手でアーム（１）の把持部（７）を持ちやすくするためである。
【符号の説明】
【０００９】１    アーム
２    アーム
３    支持部
４    装着軸
５    留め具
６    回転軸
７    把持部
８    把持部
９    フック
１０  支軸
１１  受け部
１２  ズボンの両裾
１３  家庭用ハンガー
【図１】
2012235991.tif 000003
【図２】
2012235991.tif 000004
【図３】
2012235991.tif 000005
【図４】
2012235991.tif 000006
(57)【要約】【課題】ネット（網）使用炊飯を行うとき、炊飯釜内のお米を上部ネット（網）が押さえず、適切な間隔を保てるようにする炊飯補助器具を提供する。【解決手段】主軸１の周りに枝軸２を配し、枝軸２の一部を円筒金具３に差し込み、開脚して立てて使用する。そしてネット（網）がお米を押さえないようにすることが特徴である。【選択図】図１
2012235994.tif 000002
【特許請求の範囲】
【請求項１】
（イ）半球状の頭部４を付帯する主軸１を中心として、その周りに複数本の枝軸２を配し、円筒金具３にて束ねる。
（ロ）主軸１に留め金具６を設ける。
以上のような構成からなるネット（網）使用炊飯の補助器具
【発明の詳細な説明】
【技術分野】
【０００１】本発明はネット（網）炊飯をするとき、炊飯釜内のお米の上に開脚して立て、ネット（網）上部とお米の間に適切な空間を設ける補助器具に関するものである。
【背景技術】
【０００２】従来、ネット（網）使用の炊飯では本発明品に類する物は全く見受けられなかった。
【発明の開示】
【発明が解決しようとする課題】
【０００３】次のような欠点があった。
ネット（網）を使用する炊飯では、ネット（網）の上部が炊飯釜内のお米を押さえた状態で炊くため、米の動きが制約されて、お米のデンプンの分解が不満足であった。
そして炊き上がり後、上部のネット（網）で火傷するケースもあり、ネット（網）とのご飯離れも悪かった。
炊き上がりが明確に良くなった。
【課題を解決するための手段】
【０００４】半球状の頭部４を持つ主軸１を中心として、その周りに開脚可能とした複数本の枝軸２の一部を円筒金具３の中に束ね、円筒金具３の下降を止める留め金具５を主軸１に設る。
以上の構成よりなるネット（網）使用炊飯の補助器具である。
【発明の効果】
【０００５】主軸１の周りの複数本の枝軸２を広げて、炊飯釜内に立て使用するので、ネット（網）上部をお米の間に適切な間隔を保ちうる。これがご飯の炊き具合に良好な結果を生み出した。
ネット（網）とご飯の離れ具合も改善した。
使用後は折りたたみ可能である。
【発明を実施するための最良の形態】
【０００６】本発明は炊飯釜の中で軸足を立てた状態で使用するものであり、軸足の高さは上部ネット（網）と釜内のお米との間隔が適切になるよう設定する。
枝軸２の脱却を防止するための半球状の頭部４を持つ主軸１を中心に、円筒金具３に複数本の枝軸２の一部を差込み、下降防止の留め金具５により、円筒金具３は固定される。
また、枝軸２が開脚状態で固定されていてもかまわない。
本発明は、以上のような構造である。
【図面の簡単な説明】
【０００７】
【図１】本発明の斜視図である。
【図２】本発明の断面図である。
【符号の説明】
【０００８】１．主軸
２．枝軸
３．円筒金具
４．半球状の頭部
５．留め金具
【図１】
2012235994.tif 000003
【図２】
2012235994.tif 000004